(57)【要約】【課題】  簡単にかつ少ない労力負担でステージを構築することができ、しかも筋交いの効果的組付けを容易かつ確実に行うことができるステージデッキを得ること。【解決手段】  中空構造材からなる平面矩形状の上部枠体２１と、上部枠体２１と同形でその下に平行に配置された中空構造材からなる下部枠体２２と、上部枠体２１および下部枠体２２の四隅を結合する中空構造材からなる短柱部材２３と、各短柱部材２３の間において前記両枠体２１，２２に両端を結合されていると共にフォークリフトのフォーク幅に対応する間隔を置いて配置された中空構造部材からなる束部材３１とからなり、下部枠体２２の外面および束部材３１の外面に、隣接デッキをボルト締結するためのカラーを内装したデッキ連結用孔３２を形成し、かつ下部枠体２２に埋め込みナット４６を固定したブレス取付用孔３４を形成したこと。【選択図】  図２
0003111725.tif 000002
【実用新案登録請求の範囲】
【請求項１】
中空構造材からなる平面矩形状の上部枠体と、上部枠体と同形でその下に平行に配置された中空構造材からなる下部枠体と、上部枠体および下部枠体の四隅を結合する中空構造材からなる短柱部材と、各短柱部材の間において前記両枠体に両端を結合されていると共にフォークリフトのフォーク幅に対応する間隔を置いて配置された中空構造部材からなる束部材とからなり、下部枠体の外面および束部材の外面に、隣接デッキをボルト締結するためのカラーを内装したデッキ連結用孔を形成し、かつ下部枠体に埋め込みナットを固定したブレス取付用孔を形成したことを特徴とするステージデッキ。
【請求項２】
上部枠体および下部枠体は、それらの平面形態がはしご形に形成され、かつ当該両枠対と四隅の短柱部材と束部材とが金属製角パイプの溶接組立構造物で形成された請求項１に記載のデッキ。
【請求項３】
上部枠体は上面に床パネルが固定される請求項１又は請求項２に記載のデッキ。
【請求項４】
四隅の各短柱部材には適宜長さのパイプ足が嵌合されてデッキの足を形成し、パイプ足の長さによってブレスを取り付けるようにした請求項１〜３のいずれかに記載のデッキ。
【考案の詳細な説明】
【技術分野】
【０００１】
本考案は、主としてステージ構築用のデッキ（以下、ステージデッキという）に係わり、さらに詳しくは、ステージ、雛壇、スライディング雛壇、開帳場、スライディングステージ、運搬車などを構築することができる、一般にスチールデッキと呼ばれているステージデッキに関する。
【背景技術】
【０００２】
この種のデッキは、例えば、アメリカ合衆国のＳｔｅｅｌｄｅｃｋ．Ｉｎｃ．（スチールデッキ・インク)が提供するＳｔｅｅｌｄｅｃｋ（商品名）が良く知られている。
【０００３】
このステージデッキは、モジュール化されており、ステージの平面サイズを考慮してモジュールサイズを選択し、高さや耐荷重などを考慮して足となるポストあるいはパイプからなるパイプ足の本数を決定することで、必要なステージを構築している。さらに、デッキを基本として、パイプ足の下端に履かせる石突きユニット、ガードレールユニット、階段ユニットなどの多数のアクセサリー部品、筋交いとなるブレスをパイプ足に固定するクリップ、プラットホームを連結するカプラーなどの多数のフィッティング部品、様々な車輪機構などの多数のハンドリング部品を選択しかつ組み合わせ、様々なニーズに応じたステージも構築することができるようにしている。
【０００４】
各ステージは、デッキを所定の場所に運び、デッキを裏返してパイプ足を各デッキの四隅にある短柱部材に嵌め、かつ寒中部材にボルト締結することで組み立てる。隣接デッキとの連結は、各パイプ足にカプラーを取り付け、裏返して、各カプラーの支持部に次のデッキの短柱部材を載せ、パイプ足を短柱部材にボルト締結する。さらに、荷重に応じてブレスを取り付ける。取り付は、各パイプ足にクリップを取り付け、ブレスをクリップに挿入したあと、クリップを回転してブレスを所定の角度、例えば角度４５°に配置し、クリップとブレスとをボルト締結する。
【０００５】
しかしながら、このようなものでは、運搬や組み立てに際して、かなり重いデッキを裏返したり移動したりする作業の全てを人手によって行っているため、ステージの構築にかなりの手間と労力とを必須としている。しかも、各ブレスは、パイプ足の芯からかなり離れた位置で固定されるため、荷重が逃げやすく、筋交いとして十分な機能を果たすことができない。
【考案の開示】
【考案が解決しようとする課題】
【０００６】
以上を鑑みて、本考案の課題は、簡単にかつ少ない労力負担でステージを構築することができ、しかも筋交いの効果的組付けを容易かつ確実に行うことができるステージデッキを得ることにある。
【課題を解決するための手段】
【０００７】
上記課題を達成するために、本考案のステージデッキは、中空構造材からなる平面矩形状の上部枠体と、上部枠体と同形でその下に平行に配置された中空構造材からなる下部枠体と、上部枠体および下部枠体の四隅を結合する中空構造材からなる短柱部材と、各短柱部材の間において前記両枠体に両端を結合されていると共にフォークリフトのフォーク幅に対応する間隔を置いて配置された中空構造部材からなる束部材とからなり、下部枠体の外面および束部材の外面に、隣接デッキをボルト締結するためのカラーを内装したデッキ連結用孔を形成し、かつ下部枠体に埋め込みナットを固定したブレス取付用孔を形成したことを特徴とするものである。
【考案の効果】
【０００８】
本考案のステージデッキは、中空構造材からなる平面矩形状の上部枠体と、上部枠体と同形でその下に平行に配置された中空構造材からなる下部枠体と、上部枠体および下部枠体の四隅を結合する中空構造材からなる短柱部材と、各短柱部材の間において前記両枠体に両端を結合されていると共にフォークリフトのフォーク幅に対応する間隔を置いて配置された中空構造部材からなる束部材とからなり、下部枠体の外面および束部材の外面に、隣接デッキをボルト締結するためのカラーを内装したデッキ連結用孔を形成し、かつ下部枠体に埋め込みナットを固定したブレス取付用孔を形成したので、簡単にかつ少ない労力負担でデッキを連結したステージを構築することができ、しかも効果の高い筋交いを確実かつ容易に組付けることができる。
【０００９】
すなわち、デッキが中空構造材からなり軽量かつ強固であるばかりか、束部材が短柱部材の間に配置され、かつ各枠体に両端を結合されていると共に、フォークリフトのフォーク幅に対応する間隔を置いて配置されているため、デッキの運搬、裏返しなどの移動作業をフォークリフトによって行うことができて、少ない作業員で、少ない労力でステージの構築を行うことができる。
【００１０】
また、下部枠体の外面および束部材の外面に、隣接デッキをボルト締結するためのカラーを内装したデッキ連結用孔が形成されているため、孔自体の機械的強度が高く、ボルト孔とボルトとの嵌合精度も良くなり、デッキ同士の連結を強固に行えるのみならず、孔の摩耗や各デッキの破損も少ないので、組立てたステージ全体の安全性および耐久性を高いものとすることができる。
【００１１】
さらに、下部枠体に埋め込みナットを固定したブレス取付用孔が形成されている、即ち、ブレスの支点が埋め込みナットによって中空構造体の芯に近いところに配置することができるため、ブレスの効果が高くなり、強固なステージを構築することができる。
【００１２】
本考案のステージデッキにおいて、上部枠体が予め上面に床パネルを固定して備えたものであると、ステージの構築に際して合板を敷く手間を省くことができて、構築をより迅速に行うことが可能になる上に、より各デッキ自体の機械的強度も床パネルによって増強することができる。
【考案を実施するための最良の形態】
【００１３】
以下、図面を参照して本考案ステージデッキの一実施例を説明する。添付した図において、図１は本考案のステージデッキの一実施例を示す平面図、図２は図１の２−２線に沿う側面図、図３は図１の３−３線に沿う側面図、図４は図１に示すデッキの斜視図、図５は図１の５−５線に沿う隣接デッキとの連結構造を示す拡大断面図、図６は図２の６−６線に沿うブレスとの連結構造を示す拡大断面図、図７は図６に示すパイプ足とブレスとを連結する部材の平面図、図８は図７の側面図、図９は雛壇を構築した状態を示す説明図、図１０はスライディングステージを構築した状態を示す説明図、図１１はスライディング雛壇を構築した状態を示す説明図である。
【００１４】
本考案デッキは、モジュール化され、モジュールサイズの異なる複数種類のものが用意される。たとえば、平面が矩形に形成され、縦横寸法が例えば１８１８ｍｍ×１２１２ｍｍのもの、１８１８ｍｍ×９０９ｍｍのもの、１８１８ｍｍ×１８１８ｍｍのものなどがある。この寸法は一例であって、本考案デッキはこの寸法に限られるものではない。
【００１５】
図１〜図４に例示する本考案デッキ１０は、縦横寸法が１８１８ｍｍ×１２１２のもので、上部枠体２１と、上部枠体２１と平行に配置された下部枠体２２と、上部枠体２１および下部枠体２２の四隅を結合する短柱部材２３とを備えている。
【００１６】
上部枠体２１は、スチール角パイプのような中空構造体からなっており、一対の横通し材２４（図の左右方向）を、図の例では４本の縦通し材２６によってはしご形に形成された溶接構造物からなる。一対の横通し材２４の中間にも横通し材２５が配置され、両端が横通し材２４および縦通し材２６に溶接結合されている。下部枠体２２も、上部枠体２１と同様に、スチール角パイプのような中空構造体からなっており、一対の横通し材２７および４本の縦通し材２９によってはしご形に形成され、一対の横通し材２７の中間に横通し材２８が配置された溶接構造物からなっている。
【００１７】
前記枠体２１，２２は、間隔をおいて互いに平行に配置され、両端をそれらの枠体２１，２２の四隅に配置された短柱部材２３に溶接結合されている。短柱部材２３も、スチール角パイプからなっており、側面が枠体２１，２２の横通し材２４，２５の端部に溶接結合されている。各短柱部材２３の上端は閉じているが、下端は開放されている。
【００１８】
隣り合う短柱部材２３の間には複数本の束部材３１が配置されている。各束部材３１も、スチール角パイプからなっており、各枠体２１，２２を構成する横通し材２４，２５，２７，２８および縦通し材２６、同２９に両端を溶接結合されている。デッキ１０の短手方向に位置しかつ上下の縦通し材２６，２９を結合している束部材３１は、耐荷重性能などを考慮し均等間隔で配置されておらず、その間隔ｗ（図４参照）は長手方向に位置しかつ上下の横通し材２４，２７を結合している束部材３１の間隔よりも少し小さいが、フォークリフトの２本のフォークの幅よりも広い間隔を形成し、隣接する束部材３１の間隔ｆは１本のフォークの幅よりも広い間隔を形成するように配置されている。
【００１９】
下部枠体２２の横通し材２４および縦通し材２９、それに、これらの部材２４，２９を結合している束部材３１には、隣接するデッキ１０をボルト締結により連結するデッキ連結用孔３２が設けられている。各デッキ連結用孔３２には、図５に示すように、束部材３１における内外の側面壁を貫通してカラー３３が挿入されていると共に溶接結合されている。さらに、下部枠体２２の横通し材２４および縦通し材２９には、ブレス取付用孔３４が設けられている。各ブレス取付用孔３４は、ブレス１２を結合するためのもので、図６に示すように、埋め込みナット３５のねじ孔によって形成されている。各埋め込みナット３５は、外径の異なる二つの部分を有しており、小外径部分を横通し材２４および縦通し材２９に嵌合し、かつに溶接固定されていると共に、外面に位置した大外径部分３４によって位置決めされている。
【００２０】
また、上部枠体２１には、床パネル１３となる合板の固定部材３６が多数溶接固定されている。これらの床パネル固定部材３６は横通し材２４，２５および縦通し材２６の各上面と面を合わせて溶接固定されている。
【００２１】
上述した本考案デッキ１０はパイプ足１１によって劇場などの床に支持される。パイプ足１１は、スチールパイプ、例えば丸パイプからなり、短柱部材２３に嵌る外径を有している。図示していないが、各パイプ足１１の上下両端部には貫通孔が設けてあり、パイプ足内部にはナットがねじ孔を貫通孔に一致させて配置され溶接固定されている。
【００２２】
前述のように、本考案デッキ１０は、モジュール化され、モジュールサイズの異なる複数種類のものが用意される、各モジュールのデッキは、サイズや耐荷重性能に応じて、上下の枠体２１，２２における横通し材２４，２５、同２７，２８および縦通し材２６、同２９の数が増減され、さらに、束部材３１の数や配置も異なるが、デッキの厚み、短柱部材２３のサイズ、デッキ１０のデッキ連結用孔３２の孔径、ブレス取付用孔３４の孔径などは同じである。
【００２３】
筋交いとして用いるブレス１２はスチールパイプ、例えば丸パイプからなっている。図６に示すように、両端が、扁平に潰され、ここに取付孔３７を設けられている。
【００２４】
本考案デッキ１０は、このデッキ１０を使用してステージなどを設置する場所に運び込み、裏返してパイプ足１１を短柱部材２３にはめ込んだあと、パイプ足固定用押しねじ３８を短柱部材２３のナットにねじ込んでパイプ足１１をデッキ１０に固定し、ブレス受け具４０をパイプ足１１に嵌めることで組み立てられる。このときに、フォークリフトのフォークを束部材３１の間に差し込むことで、デッキ１０をフォークリフトで運搬することができ、フォークをマストと一緒に傾斜させることで、デッキ１０の裏返し作業を補完するので、設置作業が簡単である。そして、アタッチメントをフォークリフトに装着しておけば、デッキ１０の裏返しも簡単に行なうことができる
【００２５】
図７および図８は本考案デッキ１０のパイプ足１１に使用されるブレス受け具４０の一例を示している。ブレス受け具４０はパイプ足１１に嵌合される本体４１を有している。本体４１の外周面には二つの支持片４２，４３が溶接固定されている。これらの支持片４２，４３は本体４１の中心に関して９０°の角度間隔を形成している。また、このブレス受け具４０をパイプ足１１に固定するための固定用押しねじ４４が本体４１にねじ込まれている。
【００２６】
このブレス受け具４０は、本体４１をパイプ足１１に嵌め、支持片４２をデッキ１０の縦通し材２６，２９と平行に、支持片４３を横通し材２４，２７と平行に位置させ、ブレス受け具４０の固定用押しねじ４４をねじ込むことによってパイプ足１１に仮固定される。ブレス受け具４０をパイプ足１１に装着したあとに、デッキ１０を表返して、パイプ足１１の下端にベース４５を履かせて、フロアに立てる。それから、ブレス１２をデッキ１０とパイプ足１１にあるブレス受け具４０とにブレス締結ボルト４７によって締結したあと、ブレス受け具４０の固定用押しねじ４４によって位置決めする。このときに、ブレス取付用孔３４が下部枠体２２を構成する横通し材２７および縦通し材２９に埋め込みナット３５を固定することで形成され、ブレス１２の支点が埋め込みナット３５によってパイプ材の芯に近いところに配置されるため、ブレス効果が高くなり、強固なステージを構築することができる。
【００２７】
このようにして本考案デッキ１０を組み立てたあと、必要とするステージ面積に合わせて、本考案デッキ１０を複数台並べ、互いにボルト締結する。連結は、図５に示すように、デッキ締結用ボルト３９を各カラー３３に通し、ナット４６をデッキ締結用ボルト３９のねじ軸にねじ込むことによってなされる。連結に際しては、本考案デッキ１０を単に並べ、ボルト結合するだけで良く、しかも、各デッキ１０の運搬にフォークリフトを使えるので、公知のこの種のものに比較して、作業をきわめて簡単にかつ短時間で行える。しかも、下部枠体２２を構成する横通し材２４および縦通し材２９と束部材３１とにカラー３３を嵌合かつ固定することで各デッキ１０のデッキ連結用孔３２を形成しているため、構造材がパイプであっても、連結用孔３２の機械的強さが高い上に、デッキ締結用ボルト３９との嵌合精度もたかくなり、各デッキ１０の連結を強固に行えるばかりか、デッキ連結用孔３２の摩耗や各デッキ１０の破損も少ないので、安全性および耐久性の高いステージを得られる。
【００２８】
上述のように、本考案デッキは、高さ調整をフォークリフトを利用して容易に行うことができるので、ステージ構築を少ない作業員で、能率良く行うことができる。さらに、本考案デッキ１０はそれを構成する各部材２３〜２９に中空構造材を用いているから、軽量に形成できる一方で、隣接デッキ同士の連結を強固に、しかも、そのための連結作業は連結構造が簡潔であるので効率良く行うことができるのみならず、その作業に伴い各デッキ１０を損傷するおそれも殆んどない。そして、各ブレス１２は下部枠体２２を構成する横通し材２７および縦通し材２９にそのセンター付近で連結され、荷重がパイプ足１１に正確に伝達されるため、ブレス作用が確実であり、機械的強度が高いステージを構築することができる。
【００２９】
本考案によるステージデッキは、このような平ステージだけでなく、雛壇、スライディングステージ、スライディング雛壇、開帳場なども簡単に構築することができる。
【００３０】
雛壇は、例えば図９に示すように、図１〜図８に関連するデッキ１０に加えて、モジュールサイズが同じデッキ１０に、長さがより短いパイプ足１１ａを組み合わせたデッキと、モジュールサイズの小さなデッキ１０ａに長さが更に長いパイプ足１１ｂを組み合わせたデッキとを用意し、これらを併設し、かつデッキ１０，１０ａをデッキ締結ボルト３９によって連結することで構築されている。
【００３１】
スライディングステージは、例えば図１０に示すように、図９に示す各デッキからパイプ足１１，１１ａ，１１ｂを外し、これらのパイプ足１１，１１ａ，１１ｂに代えてキャスターユニット５０を各デッキ１０，１０ａの短柱部材２３，２３ａに嵌め、かつ固定することで構築されている。
【００３２】
スライディング雛壇は、例えば図１１に示すように、図１〜図８に関連するデッキ１０を三台用意し、各デッキ１０に長さの異なるパイプ足１１ｃ〜１１ｄを装着すると共に、より大きなモジュールサイズのデッキ１０ｃを二台用意し、これらのデッキ１０ｃをデッキ締結ボルトによって連結し、各デッキ１０ｃの短柱部材２３ｃにキャスターユニット５０を装着してスライディングステージを構築し、このスライディングステージの上に三台のデッキを搭載し、各デッキ１０を締結ボルトによって連結して、スライディングステージに雛壇をつくり、かつ固定することによって構築される。
【００３３】
これらのステージを構築するときにも、本考案によるデッキは、使用する各デッキ１０の移動をフォークリフトによって行うことができ、構築を短時間で、かつ少ない労力負担で行うことができる。また、各デッキ１０の連結も強固に、かつ損傷させずに行うことができ、必要であれば、ブレス１２を使用することによって耐荷重性能を増大させることもできる。なお、これらのステージにて、各デッキは、図面の紙面の前後にデッキ１０ａ〜１０ｃをボルト３９によって連結して、要求された面積のステージとすることもできる。
【００３４】
なお、以上説明した実施例において、デッキ１０は平面矩形状のものであるが、他の多角形の平面形状、例えば、隣接するデッキ同士の連結される面が直線である、台形や菱形、あるいは三角形などのものでもよい。また、デッキ自体もスチール角パイプを用いてはしご形の溶接組立構造物に形成したが、このような構造のみに限定されず、他の構造を採用することができる。
【産業上の利用可能性】
【００３５】
本考案は以上の通りであって、中空構造材からなる平面矩形状の上部枠体と、上部枠体と同形でその下に平行に配置された中空構造材からなる下部枠体と、上部枠体および下部枠体の四隅を結合する中空構造材からなる短柱部材と、各短柱部材の間において、前記両枠体に両端を結合されていると共にフォークリフトのフォーク幅に対応する間隔を置いて配置された中空構造部材からなる束部材とからなり、下部枠体の外面および束部材の外面に、隣接デッキをボルト締結するためのカラーを内装したデッキ連結用孔を形成し、かつ下部枠体に埋め込みナットを固定したブレス取付用孔を形成してステージデッキを構成したので、簡単にかつ少ない労力負担でステージを構築することができ、しかも筋交いの効果的組付けを容易かつ確実に行うことができるステージデッキを提供することができる。
【図面の簡単な説明】
【００３６】
【図１】本考案ステージデッキの一実施例を示す平面図。
【図２】図１の２−２線に沿う側面図。
【図３】図１の３−３線に沿う側面図。
【図４】図１に示すデッキの斜視図。
【図５】図１の５−５線に沿う隣接デッキとの連結構造を示す拡大断面図。
【図６】図２の６−６線に沿うブレスとの連結構造を示す拡大断面図。
【図７】図６に示すパイプ足とブレスとを連結する部材の平面図。
【図８】図７の側面図。
【図９】雛壇を構築した状態を示す説明図。
【図１０】スライディングステージを構築した状態を示す説明図。
【図１１】スライディング雛壇を構築した状態を示す説明図。
【符号の説明】
【００３７】
１０        デッキ
１１        パイプ足
１２        ブレス
１３        床パネル
２１        上部枠体
２２        下部枠体
２３        短柱部材
２４，２５  横通し材
２６        縦通し材
２７，２８  横通し材
２９        縦通し材
３１        束部材
３２        デッキ連結用孔
３３        カラー
３４        ブレス取付用孔
３５        埋め込みナット
３６        床パネル固定部材
３７        取付孔
３８        パイプ足固定用押しねじ
３９        連結ボルト
４０        ブレス受け具
４１        本体
４２        支持片
４４        ブレスの固定用押しねじ
４５        ベース
４６        ナット
４７        ブレス締結ボルト
５１        キャスターユニット
【図１】
0003111725.tif 000003
【図２】
0003111725.tif 000004
【図３】
0003111725.tif 000005
【図４】
0003111725.tif 000006
【図５】
0003111725.tif 000007
【図６】
0003111725.tif 000008
【図７】
0003111725.tif 000009
【図８】
0003111725.tif 000010
【図９】
0003111725.tif 000011
【図１０】
0003111725.tif 000012
【図１１】
0003111725.tif 000013